【手続補正書】
【提出日】平成21年8月6日(2009.8.6)
【手続補正１】
【補正対象書類名】特許請求の範囲
【補正対象項目名】全文
【補正方法】変更
【補正の内容】
【特許請求の範囲】
【請求項１】
基板と、
この基板の上方に配置された第１電極と、
この第１電極の上方に有機エレクトロルミネッセンス材料を用いて形成された発光部と、この発光部の上方に配置され前記第１電極との間の電力供給により前記発光部を発光させる第２電極と、
この第２電極の全面を上方から覆う保護部と、
この保護膜の上に形成された封止部と、を具備し、
前記封止部は前記第２電極の全面を覆うように形成され、且つ前記封止部の外周部は前記保護部に接着されている
ことを特徴とする発光装置。
【請求項２】
前記基板上に少なくとも前記発光部の駆動に係る制御信号を入力する配線部を有し、前記保護部はこの配線部を覆うように形成されることを特徴とする請求項１記載の発光装置。
【請求項３】
前記基板の上方で前記第１電極の一部を覆い前記発光部の発光領域を規制する画素規制部を有し、この画素規制部及び前記保護部を同一の材料によって構成したことを特徴とする請求項１記載の発光装置。
【請求項４】
前記保護部及び前記画素規制部を金属酸化物または金属窒化物によって構成したことを特徴とする請求項３記載の発光装置。
【請求項５】
前記基板の上方で前記第１電極の一部を覆い前記発光部の発光領域を規制する画素規制部を有し、
前記画素規制部の端部は、前記発光部の端部より延設され、
前記第２電極は、前記発光部の端部より延設された前記画素規制部の端部の全面を覆うように形成される
ことを特徴とする請求項１記載の発光装置。
【請求項６】
前記画素規制部を、樹脂によって構成したことを特徴とする請求項５記載の発光装置。
【請求項７】
前記発光部は、高分子有機エレクトロルミネッセンス材料からなることを特徴とする請求項１記載の発光装置。
【請求項８】
前記封止部は、熱硬化性樹脂からなることを特徴とする請求項７記載の発光装置。
【請求項９】
前記封止部をガラス転移温度が１４０℃〜１８０℃のエポキシ系樹脂で構成したことを特徴とする請求項６記載の発光装置。
【請求項１０】
前記封止部は劈開性を有する無機充填剤を含有するように構成したことを特徴とする請求項６記載の発光装置。
【請求項１１】
前記基板の上方であって前記第１電極より下層に、前記発光部を駆動するＴＦＴで構成され前記第１電極に電流を供給する駆動回路を設け、
前記保護部は、前記駆動回路を覆うように形成され、
前記封止部は、前記保護部を介して前記駆動回路を覆うように形成されることを特徴とする請求項１記載の発光装置。
【請求項１２】
前記封止部は吸水性を有する無機多孔質材料（ゼオライト）を含有することを特徴とする請求項６記載の発光装置。
【請求項１３】
前記封止部は劈開性を有する無機充填剤の充填量より吸水性を有する無機多孔質材料の充填量が同等もしくは多く含有することを特徴とする請求項６記載の発光装置。
【請求項１４】
前記封止部は５０マイクロメートル以上の厚みを有することを特徴とする請求項１又は１３記載の発光装置。
【請求項１５】
請求項１〜請求項１４の何れか記載の発光装置を搭載し、前記複数の発光部を独立して点灯／消灯可能に構成したことを特徴とする露光装置。
【請求項１６】
前記発光部を前記基板上に設けられたアクティブマトリクス回路で駆動することを特徴とする請求項１５記載の露光装置。
【請求項１７】
基板上に第１電極を形成する第１工程と、
この第１電極の上方に有機エレクトロルミネッセンス材料を用いて発光部を形成する第２工程と、
この発光部の上方に前記第１電極との間の電力供給により前記発光部を発光させる第２電極を形成する第３工程と、
この第２電極の上方に前記第２電極の全面を覆う保護部を形成する第４工程と、
この保護部の上方に少なくとも前記第２電極より広い範囲を覆う封止部であって、その外周部が前記保護部に接着されるように封止する封止部を形成する第５工程と、を有する
ことを特徴とする発光装置の製造方法。
【請求項１８】
前記第２工程は、前記基板上に有機ＥＬエレクトロルミネッセンス材料を塗布した後、少なくとも前記封止部の外周部に相当する位置の前記有機エレクトロルミネッセンス材料を除去する工程を含むことを特徴とする請求項１７記載の発光装置の製造方法。
【請求項１９】
前記第２工程は、前記基板上に高分子有機エレクトロルミネッセンス材料を塗布した後、熱処理を行う工程を有し、前記熱処理の温度を、後に熱硬化性樹脂を硬化させる温度より高温としたことを特徴とする請求項１７記載の発光装置の製造方法。
【請求項２０】
前記第５工程において、前記封止部の硬化温度を少なくとも二段階設け、この硬化温度を、後の硬化温度ほど高温に設定することを特徴とする請求項１７記載の発光装置の製造方法。
【手続補正２】
【補正対象書類名】明細書
【補正対象項目名】発明の名称
【補正方法】変更
【補正の内容】
【発明の名称】発光装置、発光装置の製造方法および露光装置
【手続補正３】
【補正対象書類名】明細書
【補正対象項目名】００１８
【補正方法】変更
【補正の内容】
【００１８】
本発明の発光装置は上記課題に鑑みてなされたもので、基板と、この基板の上方に配置された第１電極と、この第１電極の上方に有機エレクトロルミネッセンス材料を用いて形成された発光部と、この発光部の上方に配置され前記第１電極との間の電力供給により前記発光部を発光させる第２電極と、この第２電極の全面を上方から覆う保護部と、この保護膜の上に形成された封止部と、を具備し、前記封止部は前記第２電極の全面を覆うように形成され、且つ前記封止部の外周部は前記保護部に接着されているものである。
【手続補正４】
【補正対象書類名】明細書
【補正対象項目名】００１９
【補正方法】変更
【補正の内容】
【００１９】
本態様によると、前記封止部の外周部は、前記保護部に接着されている。これにより、前記保護部の下に凸凹を形成する部材が存在していても、前記保護部によりその凹凸は緩和されて平坦化するので、前記封止部の外周部における接着性が安定したものとなる。そのため、前記封止部が剥離して外部からの水分やガスが浸入するのを防止できる。その結果、前記発光部が前記水分やガスと反応し前記発光部が劣化するのを防止することが出来る。
【手続補正５】
【補正対象書類名】明細書
【補正対象項目名】００２０
【補正方法】変更
【補正の内容】
【００２０】
また、前記封止部が剥離することを防止できるため、前記発光部は封止部によって保護される。そのため、前記発光装置に外力がかかった場合に、前記発光部が破損するのを防止できる。その結果、本態様は封止性能を向上させるのみならず、外力に対する信頼性を向上することが出来る。
【手続補正６】
【補正対象書類名】明細書
【補正対象項目名】００２２
【補正方法】変更
【補正の内容】
【００２２】
本発明の発光装置は、基板と、この基板の上方に配置された第１電極と、この第１電極の上方に有機エレクトロルミネッセンス材料を用いて形成された発光部と、この発光部の上方に配置され前記第１電極との間の電力供給により前記発光部を発光させる第２電極と
、この第２電極の全面を上方から覆う保護部と、この保護膜の上に形成された封止部と、を具備し、前記封止部は前記第２電極の全面を覆うように形成され、且つ前記封止部の外周部は前記保護部に接着されているものである。本態様によると、前記封止部の外周部は、前記保護部に接着されている。これにより、前記保護部の下に凸凹を形成する部材が存在していても、前記保護部によりその凹凸は緩和されて平坦化するので、前記封止部の外周部における接着性が安定したものとなる。そのため、前記封止部が剥離して外部からの水分やガスが浸入するのを防止できる。その結果、前記発光部が前記水分やガスと反応し前記発光部が劣化するのを防止することが出来る。また、前記封止部が剥離することを防止できるため、前記発光部は封止部によって保護される。そのため、前記発光装置に外部からの力がかかることにより前記発光部が破損するのを防止できる。その結果、本態様は封止性能を向上させるのみならず、外力に対する信頼性を向上することが出来る。
【手続補正７】
【補正対象書類名】明細書
【補正対象項目名】００２３
【補正方法】削除
【補正の内容】
【手続補正８】
【補正対象書類名】明細書
【補正対象項目名】００２５
【補正方法】変更
【補正の内容】
【００２５】
また本発明は、前記基板の上方で前記第１電極の一部を覆い前記発光部の発光領域を規制する画素規制部を有し、この画素規制部と保護部を同一の材料によって構成したものである。これによって発光部および電極は同一の材料からなる画素規制部と保護部に上下に挟まれるため、画素規制部と保護部の接合部分の構造が安定し、封止性能をより一層向上することが可能となる。
【手続補正９】
【補正対象書類名】明細書
【補正対象項目名】００２７
【補正方法】変更
【補正の内容】
【００２７】
また本発明は、前記基板の上方で前記第１電極の一部を覆い前記発光部の発光領域を規制する画素規制部を有し、前記画素規制部の端部は、前記発光部の端部より延設され、前記第２電極は、前記発光部の端部より延設された前記画素規制部の端部の全面を覆うように形成されるものである。例えば、前記画素規制部を樹脂で構成した場合、前記樹脂は水分やガスを透過するため、前記発光部に水分やガスが混入し、前記発光部が劣化する。本態様によると、前記基板上に前記発光部の発光領域を規制する画素規制部を有し、前記第２電極は、前記画素規制部の全面を覆うように形成される。これにより、前記画素規制部を樹脂で構成した場合でも、前記画素規制部は前記第２電極で覆われているので、前記画素規制部に水分が浸入することを防止できる。その結果、水分やガスに対するバリア性能を向上することが出来き、水分が前記画素規制部を伝わって発光部を劣化させるのを防止することが出来る。
【手続補正１０】
【補正対象書類名】明細書
【補正対象項目名】００２８
【補正方法】変更
【補正の内容】
【００２８】
また本発明は、前記発光部を高分子有機エレクトロルミネッセンス材料から構成したものである。本態様によると、前記発光部は高分子有機エレクトロルミネッセンス材料からなる。高分子有機エレクトロルミネッセンス材料は長い分子鎖が複雑に絡み合っており、高温環境に晒されても結晶化が進まないため特性劣化が非常に小さい。そのため、例えば、前記封止部が熱硬化性樹脂からなる場合においても、前記封止部を硬化する際に加えられる熱によって前記発光部がダメージを受けることを防止できる。その結果、前記発光部の特性が劣化するのを防止することができる。
【手続補正１１】
【補正対象書類名】明細書
【補正対象項目名】００２９
【補正方法】変更
【補正の内容】
【００２９】
また本発明は、前記封止部を熱硬化性樹脂から構成したものである。本態様によると、前記封止部は、熱硬化性樹脂からなる。前記熱硬化性樹脂は従来用いられている紫外線硬化性樹脂と比較して水分やガスに対するバリア性能が優れている。そのため、簡易な工程で封止を行うことが可能であるとともに、簡易な構成であっても外部からの水分やガスに対して十分なバリア性能を確保することが出来る。
【手続補正１２】
【補正対象書類名】明細書
【補正対象項目名】００３２
【補正方法】変更
【補正の内容】
【００３２】
また本発明は、前記基板の上方であって前記第１電極より下層に、前記発光部を駆動するＴＦＴで構成され前記第１電極に電流を供給する駆動回路を設け、前記保護部は、前記駆動回路を覆うように形成され、前記封止部は、前記保護部を介して前記駆動回路を覆うように形成されるものである。駆動回路に外部からの応力等によってクラック等が発生すると、発光装置は駆動不能という致命的なダメージを受ける。本態様によると、前記保護部は、前記駆動回路を覆うように形成され、前記封止部は、前記保護部を介して前記駆動回路を覆うように形成される。これにより、前記駆動回路が前記保護部及び前記封止部によって覆われるので、前記駆動回路には外部からの応力が直接作用しなくなる。その結果、外部応力によって前記駆動回路が損傷するのを防止でき、発光装置の信頼性を向上することが出来る。
【手続補正１３】
【補正対象書類名】明細書
【補正対象項目名】００３８
【補正方法】変更
【補正の内容】
【００３８】
本発明の発光装置の製造方法は、基板上に第１電極を形成する第１工程と、この第１電極の上方に有機エレクトロルミネッセンス材料を用いて発光部を形成する第２工程と、この発光部の上方に前記第１電極との間の電力供給により前記発光部を発光させる第２電極を形成する第３工程と、この第２電極の上方に前記第２電極の全面を覆う保護部を形成する第４工程と、この保護部の上方に少なくとも前記第２電極より広い範囲を覆う封止部であって、その外周部が前記保護部に接着されるように封止する封止部を形成する第５工程と、を有するものである。本態様によると、前記封止部の外周部は、前記保護部に接着さ
れている。これにより、前記保護部の下に凸凹を形成する部材が存在していても、前記保護部によりその凹凸は緩和されて平坦化するので、前記封止部の外周部における接着性が安定したものとなる。そのため、前記封止部が剥離して外部からの水分やガスが浸入するのを防止できる。その結果、前記発光部が前記水分やガスと反応し前記発光部が劣化するのを防止することが出来る。また、前記封止部が剥離することを防止できるため、前記発光部が露出することを防止できる。そのため、前記発光装置に外部からの力がかかることにより前記発光部が破損するのを防止できる。その結果、本態様は封止性能を向上させるのみならず、外力に対する信頼性を向上することが出来る。
【手続補正１４】
【補正対象書類名】明細書
【補正対象項目名】００３９
【補正方法】変更
【補正の内容】
【００３９】
また前記第２工程は、基板上に高分子有機エレクトロルミネッセンス材料を塗布した後、少なくとも封止部の外周部に相当する位置の有機エレクトロルミネッセンス材料を除去する工程を含むようにしたものである。これによって、有機エレクトロルミネッセンス材料で構成された層を介して外部から水分やガス等が侵入することを防止することが可能となる。 
【手続補正１５】
【補正対象書類名】明細書
【補正対象項目名】００４０
【補正方法】変更
【補正の内容】
【００４０】
また前記第２工程は、基板上に第１電極を形成する第１工程と、この第１電極の上方に有機エレクトロルミネッセンス材料を用いて発光部を形成する第２工程と、この発光部の上方に前記第１電極との間の電力供給により前記発光部を発光させる第２電極を形成する第３工程と、この第２電極の上方に前記第２電極の全面を覆う保護部を形成する第４工程と、この保護部の上方に少なくとも前記第２電極より広い範囲を覆う封止部であって、その外周部が前記保護部に接着されるように封止する封止部を形成する第５工程と、を有する。本態様は、基板上に高分子有機エレクトロルミネッセンス材料を塗布した後、熱処理を行なう１工程を有し、熱処理の温度（ベイク温度）を、後に熱硬化性樹脂を硬化させる温度より高温としたものである。これによって高分子有機エレクトロルミネッセンス材料を溶解したトルエンやキシレンといった有機溶媒を十分に揮発させ、発光部である有機エレクトロルミネッセンス素子の性能を安定させることが可能となる。 
【手続補正１６】
【補正対象書類名】明細書
【補正対象項目名】００４１
【補正方法】変更
【補正の内容】
【００４１】
また本発明は、前記第５工程において、前記封止部の硬化温度を少なくとも二段階設け、この硬化温度を、後の硬化温度ほど高温に設定するようにしたものである。これによって封止部の硬化を確実に行なうことが可能となる。また封止部を硬化させる温度は、いずれも上述のベイク温度よりも低く設定されており、製造工程が後段となるほど加工に必要な温度条件を緩和することで、構造物の熱膨張によって発光部にクラックが生じるなど、歩留まりを悪化させる要因を最小限に抑えることが可能となる。